【手続補正書】
【提出日】平成16年12月17日(2004.12.17)
【手続補正１】
【補正対象書類名】明細書
【補正対象項目名】特許請求の範囲
【補正方法】変更
【補正の内容】
【特許請求の範囲】
【請求項１】
プリミティブデータストリームを通信するシステムで用いられる方法であって、前記プリミティブデータストリーム（１１５）が、複数のサブストリーム（１２５−１、１２５−２、１２５−３、１２５−４）を含み、各サブストリームがそれぞれ複数のサブストリーム成分データストリーム（６２５−１１、６２５−１２、６２５−１３、６２５−１４、６２５−２１、６２５−２２、６２５−２３、６２５−２４、６２５−３１、６２５−３２、６２５−３３、６２５−３４、６２５−４１、６２５−４２、６２５−４３、６２５−４４）を含むような方法において、
（Ａ）  複数の処理されたサブストリーム（６３５−１、６３５−２、６３５−３、６３５−４）のそれぞれの少なくとも一部を送信するステップを含み、
各処理されたサブストリーム（６３５−１、６３５−２、６３５−３、６３５−４）は、それぞれ各サブストリーム（１２５−１、１２５−２、１２５−３、１２５−４）を表し、
各処理されたサブストリーム（６３５−１、６３５−２、６３５−３、６３５−４）は、複数の層（６３２−１１、６３２−１２、６３２−１３、６３２−１４、６３２−２１、６３２−２２、６３２−２３、６３２−２４、６３２−３１、６３２−３２、６３２−３３、６３２−３４、６３２−４１、６３２−４２、６３２−４３、６３２−４４）を含み、
各処理されたサブストリームの各層は、その処理されたサブストリームにより表される成分データストリームの一つの、サブストリーム成分のそれぞれの一つを表す
ことを特徴とする、プリミティブデータストリームを通信するシステムで用いられる方法。
【請求項２】
前記システムは、少なくとも二本の送信用アンテナ（１０５−１、１０５−２、１０５−３、１０５−４）を有する多出力システムであり、
前記処理されたサブストリーム（６３５−１、６３５−２、６３５−３、６３５−４）の送信は、少なくとも二本の送信用アンテナ上で、同時に開始される請求項１記載の方法。
【請求項３】
少なくとも一つの処理されたサブストリーム（６３５−１、６３５−２、６３５−３、６３５−４）の少なくとも一部を含む、受信信号（６５０−１、６５０−２、６５０−３）を処理する方法であって、前記各処理されたサブストリーム（６３５−１、６３５−２、６３５−３、６３５−４）がそれぞれ、複数のサブストリーム（１２５−１、１２５−２、１２５−３、１２５−４）の１つを表し、各サブストリーム（１２５−１、１２５−２、１２５−３、１２５−４）が、それぞれ複数のサブストリーム成分（６２５−１１、６２５−１２、６２５−１３、６２５−１４、６２５−２１、６２５−２２、６２５−２３、６２５−２４、６２５−３１、６２５−３２、６２５−３３、６２５−３４、６２５−４１、６２５−４２、６２５−４３、６２５−４４）を含み、各処理されたサブストリーム（６３５−１、６３５−２、６３５−３、６３５−４）が、複数の層（６３２−１１、６３２−１２、６３２−１３、６３２−１４、６３２−２１、６３２−２２、６３２−２３、６３２−２４、６３２−３１、６３２−３２、６３２−３３、６３２−３４、６３２−４１、６３２−４２、６３２−４３、６３２−４４）を含み、各処理されたサブストリーム（６３５）の各層が、その特定の処理されたサブストリームにより表される特定のサブストリームの、複数のサブストリーム成分のそれぞれの一つを表すようになっている方法において、
（ａ）  複数の層（６３２−１１、６３２−１２、６３２−１３、６３２−１４、６３２−２１、６３２−２２、６３２−２３、６３２−２４、６３２−３１、６３２−３２、６３２−３３、６３２−３４、６３２−４１、６３２−４２、６３２−４３、６３２−４４）のうちの一つの層の少なくとも一部を復号化して、それぞれのサブストリーム成分（６２５−１１、６２５−１２、６２５−１３、６２５−１４、６２５−２１、６２５−２２、６２５−２３、６２５−２４、６２５−３１、６２５−３２、６２５−３３、６２５−３４、６２５−４１、６２５−４２、６２５−４３、６２５−４４）の少なくとも一部を得るステップと、
（ｂ）  受信信号（６５０−１，６５０−２、６５０−３）から、前記一つの層の復号化された部分を取り除くステップと、
（ｃ）  複数の層（６３２−１１、６３２−１２、６３２−１３、６３２−１４、６３２−２１、６３２−２２、６３２−２３、６３２−２４、６３２−３１、６３２−３２、６３２−３３、６３２−３４、６３２−４１、６３２−４２、６３２−４３、６３２−４４）のうち別の層の、少なくとも一部を復号化して、それぞれのサブストリーム成分（６２５−１１、６２５−１２、６２５−１３、６２５−１４、６２５−２１、６２５−２２、６２５−２３、６２５−２４、６２５−３１、６２５−３２、６２５−３３、６２５−３４、６２５−４１、６２５−４２、６２５−４３、６２５−４４）の少なくとも一部を得るステップと、
を有することを特徴とする方法。
【請求項４】
（ｄ）  受信信号（６５０−１、６５０−２、６５０−３）から、他の層（６３２−１１、６３２−１２、６３２−１３、６３２−１４、６３２−２１、６３２−２２、６３２−２３、６３２−２４、６３２−３１、６３２−３２、６３２−３３、６３２−３４、６３２−４１、６３２−４２、６３２−４３、６３２−４４）の復号化部分を取り除くステップと、
（ｅ）  受信信号中の層により表されるすべてのサブストリーム成分（６２５−１１、６２５−１２、６２５−１３、６２５−１４、６２５−２１、６２５−２２、６２５−２３、６２５−２４、６２５−３１、６２５−３２、６２５−３３、６２５−３４、６２５−４１、６２５−４２、６２５−４３、６２５−４４）が復号化されるまで、ステップ（ｃ）と（ｄ）を繰り返すステップ
をさらに有する請求項３記載の方法。
【請求項５】
前記（ａ）ステップで復号化された層は、第一の処理されたサブストリームの一部であり、
前記（ｃ）ステップで復号化された層は、１個の層の復号化部分がステップ（ｂ）で除去された後、第一の処理されたサブストリームの一部であり、
前記信号は、少なくとも２個の処理されたサブストリームを含み、
（ｆ）  別の処理されたサブストリームの一部である層の、少なくとも一部を復号化するステップと、
（ｇ）  別の処理されたサブストリームの一部である別の層の、少なくとも一部を復号化するステップと、をさらに有する請求項３記載の方法。
【請求項６】
プリミティブデータストリーム（１１５）の少なくとも一部を通信するシステムで用いられる送信機（６１７）であって、前記プリミティブデータストリーム（１１５）が、サブストリーム（１２５−１、１２５−２、１２５−３、１２５−４）を含むような送信機（６１７）において、
サブストリーム（１２５−１、１２５−２、１２５−３、１２５−４）の一つを処理されたサブストリーム（６３５−１、６３５−２、６３５−３、６３５−４）に層状化する第一層状化器（６１０−１、６１０−２、６１０−３、６１０−４）を含み、
前記処理されたサブストリーム（６３５−１、６３５−２、６３５−３、６３５−４）は、複数の層（６３２−１１、６３２−１２、６３２−１３、６３２−１４、６３２−２１、６３２−２２、６３２−２３、６３２−２４、６３２−３１、６３２−３２、６３２−３３、６３２−３４、６３２−４１、６３２−４２、６３２−４３、６３２−４４）を有し、
前記処理されたサブストリーム（６３５−１、６３５−２、６３５−３、６３５−４）の各層（６３２−１１、６３２−１２、６３２−１３、６３２−１４、６３２−２１、６３２−２２、６３２−２３、６３２−２４、６３２−３１、６３２−３２、６３２−３３、６３２−３４、６３２−４１、６３２−４２、６３２−４３、６３２−４４）は、１個のサブストリーム（１２５−１、１２５−２、１２５−３、１２５−４）の複数のサブストリーム成分（６２５−１１、６２５−１２、６２５−１３、６２５−１４、６２５−２１、６２５−２２、６２５−２３、６２５−２４、６２５−３１、６２５−３２、６２５−３３、６２５−３４、６２５−４１、６２５−４２、６２５−４３、６２５−４４）のそれぞれを表す
ことを特徴とする送信機。
【請求項７】
前記第一層状化器（６１０−１、６１０−２、６１０−３、６１０−４）は、
（Ａ）  １個のサブストリーム（１２５−１、１２５−２、１２５−３、１２５−４）を受領する入力と、サブストリーム成分（６２５−１１、６２５−１２、６２５−１３、６２５−１４、６２５−２１、６２５−２２、６２５−２３、６２５−２４、６２５−３１、６２５−３２、６２５−３３、６２５−３４、６２５−４１、６２５−４２、６２５−４３、６２５−４４）の一つを出力する複数の出力とを有する、デマルチプレクサ（６２０−１、６２０−２、６２０−３、６２０−４）と、
（Ｂ）  複数のエンコーダ／モジュレータ（６３０−１１、６３０−１２、６３０−１３、６３０−１４、６３０−２１、６３０−２２、６３０−２３、６３０−２４、６３０−３１、６３０−３２、６３０−３３、６３０−３４、６３０−４１、６３０−４２、６３０−４３、６３０−４４）と、
各エンコーダ／モジュレータは、前記デマルチプレクサ６２０−１、６２０−２、６２０−３、６２０−４の出力の一つに接続された、入力を有し、
前記各エンコーダ／モジュレータは、前記サブストリーム成分（６２５−１１、６２５−１２、６２５−１３、６２５−１４、６２５−２１、６２５−２２、６２５−２３、６２５−２４、６２５−３１、６２５−３２、６２５−３３、６２５−３４、６２５−４１、６２５−４２、６２５−４３、６２５−４４）のうちの、少なくとも一つのそれぞれを符号化し、変調し、それぞれの層（６３２−１１、６３２−１２、６３２−１３、６３２−１４、６３２−２１、６３２−２２、６３２−２３、６３２−２４、６３２−３１、６３２−３２、６３２−３３、６３２−３４、６３２−４１、６３２−４２、６３２−４３、６３２−４４）を得て、
（Ｃ）  前記エンコーダ／モジュレータ（６３０−１１、６３０−１２、６３０−１３、６３０−１４、６３０−２１、６３０−２２、６３０−２３、６３０−２４、６３０−３１、６３０−３２、６３０−３３、６３０−３４、６３０−４１、６３０−４２、６３０−４３、６３０−４４）の一つの出力に結合された、複数の入力と、前記処理されたサブストリーム（６３５−１、６３５−２、６３５−３、６３５−４）を出力する出力とを有するコンバイナ（６３４−１、６３４−２、６３４−３、６３４−４）と、を有する請求項６記載の送信機。
【請求項８】
前記送信機（６１７）が無線通信システムの基地局の一部である請求項６記載の送信機。
【請求項９】
処理されたサブストリーム（６３５−１、６３５−２、６３５−３、６３５−４）の一つの、前記各層（６３２−１１、６３２−１２、６３２−１３、６３２−１４、６３２−２１、６３２−２２、６３２−２３、６３２−２４、６３２−３１、６３２−３２、６３２−３３、６３２−３４、６３２−４１、６３２−４２、６３２−４３、６３２−４４）の、少なくとも一つの送信特徴は、一つの処理されたサブストリーム（６３５−１、６３５−２、６３５−３、６３５−４）の他の層（６３２−１１、６３２−１２、６３２−１３、６３２−１４、６３２−２１、６３２−２２、６３２−２３、６３２−２４、６３２−３１、６３２−３２、６３２−３３、６３２−３４、６３２−４１、６３２−４２、６３２−４３、６３２−４４）の送信特徴とは異なる請求項１、３、５，６のいずれかに記載の送信機。
【請求項１０】
前記送信特徴は、ビットレートとパワーレベルの少なくとも一方を含む請求項９記載の送信機。